(57)【要約】【課題】ワームを模した軟質材からなるルアー本体からの釣り針の抜け落ちを防止するワームルアー補強部材とワームルアーを提供する。【解決手段】軟質材からなるワームルアー本体１の前端部からその長手方向に内挿可能で、長手方向に延び、フレキシブルなロッド状ワームルアー補強部材２またはそれを内部に埋め込み成形したワームルアーであって、  ロッド先端部２１は先鋭形状をなし、ロッド後端部２２には針挿入孔２４と該孔への針先挿入を案内する溝２５を有する一方、先端部と後端部の中間にロッド側部から外方に突出し、前方から後方に拡がり、拡縮可能な複数の戻り翼片２６を備え、アンカー効果を備える。埋め込み成形する場合は、複数の戻り翼片の代わりにロッド先端部にアンカー部材２８を形成すればよい。【選択図】図２
2011033825.tif 000002
【特許請求の範囲】
【請求項１】
軟質材からなるワームルアー本体１のヘッド部からその長手方向に内挿可能で、長手方向に延び、フレキシブルなロッド状ワームルアー補強部材２であって、
ロッド先端部２１は先鋭形状をなし、ロッド後端部２２には針挿入孔２４と該孔への針先挿入を案内する溝２５を有する一方、先端部２１と後端部２２の中間にロッド側部から外方に突出し、前方から後方に拡がり、拡縮可能な複数の戻り翼片２６、２６を備えることを特徴とするワームルアー補強部材。
【請求項２】
前記針先を案内する溝２５の底部が針先との当接により前方に退避可能な先端部２５ａを有する舌片２５ｂを備える請求項１記載の補強部材。
【請求項３】
前記ロッド中間２３の側部から外方に突出し、前方から後方に拡がる複数の戻り翼片２６、２６が相対向する反対側面から外方に突出する請求項１記載の補強部材。
【請求項４】
ワームルアーへの針装着時補強部材の針挿入孔２４への針先３１への挿入を案内する溝２５の裏面に、針先刺し込み方向を案内する目印として凸部２７を設ける請求項１記載の補強部材。
【請求項５】
舌片２５ｂが前方に延びる溝２５の裏側に補強リブ２５ｃを設ける請求項１記載の補強部材。
【請求項６】
軟質材からなるワームルアー本体１と、該本体内部に埋め込み成形され、前記本体１のヘッド部からその長手方向に内部に延び、フレキシブルなロッド状コア部材２とからなり、
前記コア部材２はロッド後端部２２には針挿入孔２４と該孔への針先挿入を案内する溝２５を有する一方、先端部２１又はロッド側部から外方に突出したアンカー部２８を備えることを特徴とするワームルアー。
【請求項７】
前記針先を案内する溝２５の底部が針先との当接により当接前方に退避可能な先端部２５ａを有する舌片２５ｂを備える請求項６記載のワームルアー。
【発明の詳細な説明】
【技術分野】
【０００１】
本発明は、ワームルアーに何ら本来の機能を害することなく容易に取り付けられるワームルアー補強部材およびその補強部材を埋め込み成形したワームルアーに関する。
【背景技術】
【０００２】
各種のワームルアーは、誘魚効果を向上させるために、ポリ塩化ビニール材等の軟質合成樹脂材で、釣り対象となる魚の実際の餌に酷似した形状に形成されて着色が施され、あたかも水中でワームが泳動しているかのようにルアー本体が揺動動作をするような工夫が施される。このようなワームルアー１では、釣り針フック３をワームヘッド部１１から挿入し（図１(a））、一旦ワームヘッド部１１のやや下方外側に取り出し（図１(ｂ））、反転させた後（図１(ｃ））ワームルアーの中腹部でフック先端を反対側に挿通し（図１(ｄ））、フック先端とフック後方でワームルアーを挟むようにセットする（図１(e）参照）。【０００３】
したがって、バス等の大物をヒットした時には獲物に食いついている針先３１を支点として釣り糸に連結する針基３２が釣り糸に曳かれて外方に回転し、ワームルアー１のヘッド部１１から針基３２が外れてヘッド部１１が切れ、再度使用することが困難な状態となる。このワームルアーの針挿入部であるヘッド部１１が切れないように材質強度を上げることが提案されるが、材質強度はワームルアーが水中でワームが泳動しているかのようにルアー本体が揺動する動作と微妙に関連して設定されているため、その動作を狂わせ、ワームルアーの誘魚効果を減退させるという欠点がある。したがって、ワームルアー１は加工されずそのままにしてそこに取り付けられる部材としては、水中で抵抗を受けることによりルアー本体を潜行させたり揺動動作させたりするリップ部材を外装するルアーが提案されているに過ぎない（例えば、特許文献１及び２参照）。
【先行技術文献】
【特許文献】
【０００４】
【特許文献１】特開平８−２０５７１３号公報
【特許文献２】登録実用新案第３１５１２７２号
【発明の概要】
【発明が解決しようとする課題】
【０００５】
そのため、本発明は、ワームルアーの水中での揺動動作を狂わせることなく、すなわちワームルアーの誘魚効果に影響を与えることなく、ワームルアーの針差込口であるヘッド部を補強する部材およびかかる補強部材を埋め込み成形したワームルアーを提供することを課題とする。
【課題を解決するための手段】
【０００６】
本発明はかかる課題に鑑みてなされたもので、軟質材からなるワームルアー本体のヘッド部からその長手方向に内挿可能で、長手方向に延び、フレキシブルなロッド状ワームルアー補強部材であって、
ロッド先端部は先鋭形状をなし、ロッド後端部には針挿入孔と該孔への針先の挿入を案内する溝を有する一方、ロッド先端部とロッド後端部の中間にロッド側部から外方に突出し、前方から後方に拡がり、拡縮可能な複数の戻り翼片を備えることを特徴とする。【０００７】
本発明の補強構造は補強部材２をワームルアー本体１に挿入して後付けするだけでなく、軟質材からなるワームルアー本体１の内部に前記本体１のヘッド部からその長手方向に内部に延び、フレキシブルなロッド状補強部材２と埋め込み成形するようにしても同様の作用効果を達成することができる。したがって、本発明は、フレキシブルな補強部材を内装したワームルアーを提供するものでもある。この場合、内装する補強部材は上記補強部材２と同様のものを埋め込み成形してもよいが、前記コアとなる補強部材は後付け挿入する必要がないので、ロッド先端部は先鋭にする必要はなく、拡縮する戻り翼片の代わりに円盤状等のアンカー部材を設けるようにしてもよく、他方、後端部は針挿入孔と該孔への針先挿入を案内する溝を形成し、前記針先を案内する溝の底部は針先との当接により後方に退避可能な先端部を有する舌片をなすのがよい。したがって、本発明に係るワームルアーは軟質材からなるワームルアー本体と、該本体内部に埋め込み成形され、前記本体の前端部からその長手方向に内部に延び、フレキシブルなロッド状コア部材とからなり、前記コア部材はロッド後端部には針挿入孔と該孔への針先挿入を案内する溝を有する一方、先端部又はロッド側部から外方に突出したアンカー部または戻り翼片を備え、前記針先を案内する溝の底部は針先との当接により後方に退避可能な先端部を有する舌片をなすことを特徴とする。
【発明の効果】
【０００８】
本発明に係るワームルアー補強部材によれば、軟質材からなるルアー本体に何ら加工を施すことなく、補強部材をその先尖り状の先端部からルアー本体に差し込むことにより、ルアー本体に抜け止め状態に容易に掛止させることができ、釣り現場で、好みのワームルアーの水中での遥動動作に支障を与えることなく、キレやすい端部を補強することができる。【０００９】
本発明に係る補強部材は、前記針先を案内する溝の底部を針先との当接により当接前方に退避可能な先端部を有する舌片をなすようにすると、針挿入孔への針の挿入を容易にする。【００１０】
また、前記ロッド中間の側部から外方に突出し、前方から後方に拡がる複数の戻り翼片は、一対の戻り翼片を相対向する反対側面から外方に突出させるようにすると、ランダムに戻り翼片を突出させるより挿入が容易となる。【００１１】
さらに、補強部材は長手方向に延びる軸に対してフレキシブルな特性を持たせ、ワームルアーの遥動動作を阻害させないためには、軟質ポリプロピレン等の樹脂から製造されるのが好ましく、好ましくは生分解樹脂を使用するのがよい。【００１２】
また、本発明に係るワームルアーにあっては、例えばポリ塩化ビニール等の軟質合成樹脂やゴム等で形成されたルアー本体に対してその長手方向に内部に延び、フレキシブルなロッド状コア部材２と埋め込み成形してなるので、ワームルアーの水中での遥動動作に支障を与えることなく、釣り針フックの差込口の強度を増強させることができ、製品の耐久性を向上させることができる。
【図面の簡単な説明】
【００１３】
【図１】ワームルアーに対する釣り針のセッティング順序（a）から（e）を示すもので、矢印は釣り針の移動方向を示す。
【図２】本発明にかかるワームルアー補強部材の一例を示し、（ａ）は平面図、（ｂ）は正面図、（ｃ）は側面図、（ｄ）は斜視図である。
【図３】図２の補強部材のワームルアーへのセッティング方法を示し、（ａ）はセッティング前の状態を示す分解斜視図で、（ｂ）はセッティング後の状態を示す断面図である。
【図４】他の例の補強部材をワームルアー内部に埋め込み成形した状態の断面図である。
【図５】本発明にかかるワームルアー補強部材の他例を示し、（ａ）は平面図、（ｂ）は正面図、（ｃ）は側面図、（ｄ）は斜視図である。
【発明を実施するための最良の形態】
【００１４】
以下に、本発明のワームルアー補強部材の実施の形態について図面を参照しつつ詳細に説明する。
実施例  １
図２はワームルアー補強部材２を示し、図３に示すようにワームを模したルアー本体１のヘッド部にワームルアー補強部材２を挿入した後、戻り翼２６の部分を外部から揉みワームルアー１に食い込ませることにより完了する。そのルアー本体１は、ポリ塩化ビニール材等の軟質合成樹脂材又はゴム等で形成される一方、ワームルアー補強部材２は、ロッドにフレキシブル性質を付与できるポリポルピレン樹脂、生分解樹脂等のワームよりは硬質の合成樹脂材で形成される。上記補強部材２を内装されたワームルアー１には図１に示す順序で釣り針３をセットする。【００１５】
詳しくは、ワームルアー補強部材２は、軟質材からなるワームルアー本体１のヘッド部１１からその長手方向に内挿可能で、長手方向に延び、フレキシブルなロッド状ワームルアー補強部材２であって、ロッド先端部２１は先鋭形状をなし、ロッド後端部２２には針挿入孔２４と該孔への針先３１の挿入を案内する溝２５を有する一方、先端部２１と後端部２２の中間にロッド側部から外方に突出し、前方から後方に拡がり、拡縮可能な複数の戻り翼片２６、２６を備える。【００１６】
前記補強部材２の針挿入孔２４への針先３１の挿入を容易にするために、前記針先３１を案内する溝２５の底部を針先との当接により当接前方に屈曲して退避可能な先端部２５ａを有する舌片２５ｂとする。舌片２５ｂの基部には溝裏側に凸部２７を設け、ワーム１への針先３１の刺し込み方向を示すようにするのがよい。【００１７】
実施例２
針基３２の食い込みを受けた時の強度をさらに向上させる必要があるときは、図５に示すように改良される。即ち、舌片２５ｂの基部となる溝２５の後端部２２との連結長さを図２に比して長くするか、または裏面の凸部２７に三角形の補強リブ２５ｃを連接して設ける。更に、溝２５の後端部２２との連結長さを長くするとともに溝裏側に凸部２７に三角形の補強リブ２５ｃを連接して設けてもよい。その他は図２と同一部分は同一番号を付して説明を省略する。【００１８】
これにより図１に示すように、ワーム１の凸部２７を目印にして凸部２７がワーム１の底面側に来るように持ち、釣り針フック３の針先３１をワーム１のヘッド部１１から挿入する（図１(a））と、針先３１は案内溝２５に沿って下方に滑り、針挿入孔２４に至る。そこで、一旦ワームヘッド部１１のやや下方外側に取り出そうとすると、舌片２５ｂが先端２５aから前方に屈曲退避し（図１(ｂ））、針先３１がワーム本体１の側方から突出する。その後釣り針３を反転させた後（図１(ｃ））ワームルアーの中腹部でフック先端を反対側に挿通し（図１(ｄ））、フック先端とフック後方でワーム本体１を挟むようにセットする（図１(e）参照）と、針基３２は補強リブ２５ｃで補強された溝２５の針挿入孔２４近傍に位置し、舌片２５ｂに支持された状態で抜け止めされることになり、ワームルアー１の後端からの針基３２の外れを防止する。【００１９】
本発明においては前記ロッド中間２３の側部から外方に突出し、前方から後方に拡がる複数の戻り翼片２６、２６が設けられるが、一対の戻り翼片２６、２６を相対向する反対側面から外方に突出させるようにするのがランダムに戻り翼片を突出させるより挿入が容易で、抜け止めが確実である。
実施例３【００２０】
上記実施例では補強部材２をワームルアー本体１に挿入して後付けしたが、本実施例では軟質材からなるワームルアー本体１の内部に前記本体１の前端部からその長手方向に内部に延び、フレキシブルなロッド状補強部材２を埋め込み成形するようにして同様の作用効果を達成する。この場合、上記補強部材２と同様のものを埋め込み成形してもよいが、図４に示すように、前記コアとなる補強部材２はロッド先端部２１は先鋭にする必要はなく、拡縮する戻り翼片２６の代わりに円盤状のアンカー部材２８を設ける。他方、後端部２２は上記補強部材２と同様である。即ち、針挿入孔２４と該孔への針先挿入を案内する溝２５を形成し、前記針先を案内する溝２５の底部は針先との当接により後方に退避可能な先端部２５ａを有する舌片２５ｂをなすようにする。【００２１】
潜水機能や揺動機能を付与するために、ルアー本体の前端部１１にリップを取り付けるのがよい。この場合、ルアー本体１から突出する補強部材のリブ２７を使用して図示しないがリップを取り付けることができる。そのリップは水流抵抗板，整流板等とも称されるもので、釣糸が引かれた際に、また河川等での水流によって、リップが水中で抵抗を受けることによりルアー本体を潜行させたり揺動動作させたりすることができる。
【産業上の利用可能性】
【００２２】
本発明のワームルアー補強部材は、ワームを模した軟質材からなるルアー本体に何ら加工を施すことなく、ルアー本体に対して抜け止め状態に埋め込み成形または容易に内挿させることができるので、各種のワームルアーの誘魚効果を阻害することなく、ワームルアーの耐久性を向上させることができる。
【図１】
2011033825.tif 000003
【図２】
2011033825.tif 000004
【図３】
2011033825.tif 000005
【図４】
2011033825.tif 000006
【図５】
2011033825.tif 000007
【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
軟質材からなるワームルアー本体（１）のヘッド部からその長手方向に内挿可能で、長手方向に延び、フレキシブルなロッド状ワームルアー補強部材（２）であって、
ロッド先端部（２１）は先鋭形状をなし、ロッド後端部（２２）には針挿入孔（２４）と該孔への針先挿入を案内する溝（２５）を有し、前記針先を案内する溝（２５）の底部が針先との当接により前方に退避可能な先端部（２５ａ）を有する舌片（２５ｂ）を備える一方、先端部（２１）と後端部（２２）の中間にロッド側部から外方に突出し、前方から後方に拡がり、拡縮可能な複数の戻り翼片（２６、２６）を備えることを特徴とするワームルアー補強部材。
【請求項２】
前記ロッド中間（２３）の側部から外方に突出し、前方から後方に拡がる複数の戻り翼片（２６、２６）が相対向する反対側面から外方に突出する請求項１記載の補強部材。
【請求項３】
ワームルアーへの針装着時補強部材の針挿入孔（２４）への針先（３１）への挿入を案内する溝（２５）の裏面に、針先刺し込み方向を案内する目印として凸部（２７）を設ける請求項１記載の補強部材。
【請求項４】
舌片（２５ｂ）が前方に延びる溝（２５）の裏側に補強リブ（２５ｃ）を設ける請求項１記載の補強部材。
【請求項５】
軟質材からなるワームルアー本体（１）と、該本体内部に埋め込み成形され、前記本体（１）のヘッド部からその長手方向に内部に延び、フレキシブルなロッド状コア部材（２）とからなり、
前記コア部材（２）はロッド後端部（２２）には針挿入孔（２４）と該孔への針先挿入を案内する溝（２５）を有し、前記針先を案内する溝（２５）の底部が針先との当接により当接前方に退避可能な先端部（２５ａ）を有する舌片（２５ｂ）を備える一方、先端部（２１）又はロッド側部から外方に突出したアンカー部（２８）を備えることを特徴とするワームルアー。
【国際調査報告】
2011033825.tif 000008
2011033825.tif 000009